(57)【要約】【課題】照明器具の種類に拘わらずソケットに装着後にＬＥＤの照射方向を任意に調整することができ、直管形ＬＥＤランプの利用性の向上に寄与できる直管形ＬＥＤランプ用アダプターを提供する。【解決手段】照明器具のソケットに直管形ＬＥＤランプ用アダプター５４ａ、５４ｂが装着されている。直管形ＬＥＤランプ５２の端子４ａ、４ｂを直管形ＬＥＤランプ用アダプター５４ａのガイド溝６４に、端子４ｃ、４ｄを直管形ＬＥＤランプ用アダプター５４ｂのガイド溝６４に挿入する。直管形ＬＥＤランプ５２は固定部５８と端子挿入部６０とからなり、端子挿入部６０は回転可能となっている。直管形ＬＥＤランプ５２を装着した後は第１の端子５６と第２の端子４とが導通した状態で直管形ＬＥＤランプ５２を回転させてその照射方向を調整できる。【選択図】図２
2016154103.tif 000002
【特許請求の範囲】
【請求項１】
一端側に照明器具のソケットに挿入される一対の第１の端子を有しているとともに、他端側に、長手方向両端部に口金を有する直管形ＬＥＤランプの前記口金から突出する一対の第２の端子を挿入する端子挿入部を有し、第１の端子と第２の端子との導通状態を保ったまま前記直管形ＬＥＤランプの前記長手方向を軸心とする回転を許容する直管形ＬＥＤランプ用アダプター。
【請求項２】
請求項１に記載の直管形ＬＥＤランプ用アダプターにおいて、
第１の端子を有する固定部を有し、前記端子挿入部は前記固定部に係合した状態で回転可能に設けられ、前記端子挿入部に第２の端子を挿入したときに第１の端子と第２の端子とが導通状態となる直管形ＬＥＤランプ用アダプター。
【請求項３】
請求項２に記載の直管形ＬＥＤランプ用アダプターにおいて、
前記端子挿入部は、第２の端子を前記長手方向と直交する方向に案内して挿入するためのガイド溝を有している直管形ＬＥＤランプ用アダプター。
【請求項４】
請求項３に記載の直管形ＬＥＤランプ用アダプターにおいて、
前記端子挿入部の第２の端子が前記ガイド溝を移動する領域には、第２の端子の最初に挿入される端子を通過させ、後に挿入される端子を弾性力で保持する第１の導電性ホルダと、最初に挿入される端子を保持する第２の導電性ホルダとが設けられている直管形ＬＥＤランプ用アダプター。
【請求項５】
請求項４に記載の直管形ＬＥＤランプ用アダプターにおいて、
第１の端子の各端子の前記ソケット側と反対側にはそれぞれ半円状の導電性部材が接続され、第１の導電性ホルダと第２の導電性ホルダは対応する前記導電性部材に弾性力で接触する接触子を有している直管形ＬＥＤランプ用アダプター。
【請求項６】
請求項１〜５のいずれか１つに記載の直管形ＬＥＤランプ用アダプターを備えた直管形ＬＥＤランプ。
【請求項７】
請求項６に記載の直管形ＬＥＤランプと、前記直管形ＬＥＤランプを装着する照明器具とを備えた照明装置。
【発明の詳細な説明】
【技術分野】
【０００１】
本発明は、直管形ＬＥＤランプ用アダプター、直管形ＬＥＤランプ及び照明装置に関する。
【背景技術】
【０００２】
近年、ＬＥＤ（Light Emitting Diode）を光源とする直管形ＬＥＤランプが商品化されている。直管形ＬＥＤランプは直管形蛍光灯に比べて寿命が長く、低消費電力であり、水銀を使用しないため環境負荷が小さいなど多くの利点がある。
このため、直管形蛍光灯から直管形ＬＥＤランプへの切り換えが実施されつつあり、蛍光灯に対応した既存の照明器具（以下、単に「既存の照明器具」ともいう）をそのまま利用することも行われている。
【０００３】
特許文献１には、一対の端子を備えた直管形ＬＥＤランプの口金を挿入する部分を両側に備えた連結具で直管形ＬＥＤランプ同士を電気的に連結する構成が開示されている。
特許文献１の図１１及び段落「００３２」には、直管形ＬＥＤランプ同士を連結した状態のままで回転させ、連結された直管形ＬＥＤランプの照射方向を変える回転機構を有する連結具が開示されている。
【０００４】
一般的に、直管形ＬＥＤランプは、複数のＬＥＤを長手方向に実装したＬＥＤ基板を有し、該ＬＥＤ基板を放熱性の高い金属フレームで支持し、ＬＥＤの照射面側を光透過性のカバーで覆う構成となっている。
直管形蛍光灯は、長手方向を軸とする軸心回りの全方向へ光を発するが、直管形ＬＥＤランプでは上記のように基板やフレーム等があるため、光を発する方向が円筒形断面の約半分（≒１８０°）に限定される。
【発明の概要】
【発明が解決しようとする課題】
【０００５】
直管形蛍光灯の場合には、上記のように長手方向を軸とする軸心回りの全方向へ光を発するため、ソケットの位置、すなわち端子挿入穴の位置がどのように変化していても配光特性に影響はない。
直管形ＬＥＤランプの場合にはＬＥＤの照射方向が限定されているため、既存の照明器具を利用する場合、所望の照射方向と装着後の実際の照射方向とが一致するとは限らない。
上下方向に２本の直管形蛍光灯を設置するタイプの既存の照明器具では、ハーネスの這い回し等の関係から上下のソケットにおける端子挿入穴の向きが異なる場合があり、このような既存の照明器具を利用する場合には少なくとも１本の直管形ＬＥＤランプの照射方向は所望の方向とはならない。
特許文献１に記載の連結具では、連結具で連結された直管形ＬＥＤランプの口金の周方向の位置を変化させることができるだけであり、ソケットに装着後は直管形ＬＥＤランプの照射方向を変えることはできない。
すなわち、既存の照明器具を利用する場合、ソケットにおける端子挿入穴の位置によって照射方向が決定され、所望の照射方向でない場合にその調整をすることはできなかった。
【０００６】
本発明は、このような現状に鑑みてなされたもので、照明器具の種類に拘わらずソケットに装着後にＬＥＤの照射方向を任意に調整することができ、直管形ＬＥＤランプの利用性の向上に寄与できる直管形ＬＥＤランプ用アダプターの提供を、その主な目的とする。
【課題を解決するための手段】
【０００７】
上記目的を達成するために、本発明の直管形ＬＥＤランプ用アダプターは、一端側に照明器具のソケットに挿入される一対の第１の端子を有しているとともに、他端側に、長手方向両端部に口金を有する直管形ＬＥＤランプの前記口金から突出する一対の第２の端子を挿入する端子挿入部を有し、第１の端子と第２の端子との導通状態を保ったまま前記直管形ＬＥＤランプの前記長手方向を軸心とする回転を許容する。
【発明の効果】
【０００８】
本発明によれば、照明器具の種類に拘わらずソケットに装着後にＬＥＤの照射方向を任意に調整することができ、直管形ＬＥＤランプの利用性の向上に寄与できる。
【図面の簡単な説明】
【０００９】
【図１】本発明の一実施形態に係る照明装置の側面図である。
【図２】直管形ＬＥＤランプの分解斜視図である。
【図３】直管形ＬＥＤランプ用アダプターの分解斜視図である。
【図４】直管形ＬＥＤランプの端子を直管形ＬＥＤランプ用アダプターの端子挿入部に挿入した後の状態を示す、端子挿入方向と直交する方向での要部断面図である。
【図５】直管形ＬＥＤランプ用アダプター側の第１の端子と直管形ＬＥＤランプ側の第２の端子との導通状態を維持したまま直管形ＬＥＤランプの周方向の位置を調整できることを説明するための斜視図である。
【図６】第１の端子と第２の端子との導通状態での直管形ＬＥＤランプの回転位置の調整範囲を示す平面図である。
【図７】直管形ＬＥＤランプの取付方法を示す図で、（ａ）は直管形ＬＥＤランプの端子を直管形ＬＥＤランプ用アダプターに挿入する前の状態を示す斜視図、（ｂ）は挿入後の状態を示す斜視図である。
【図８】従来の照明装置の分解斜視図である。
【図９】従来の直管形ＬＥＤランプの内部構造を示す斜視図である。
【図１０】直管形蛍光灯と直管形ＬＥＤランプの比較図で、（ａ）は直管形蛍光灯の斜視図、（ｂ）はその配光特性を示す図、（ｃ）は直管形ＬＥＤランプの斜視図、（ｄ）その配光特性を示す図である。
【図１１】２本水平配置タイプの蛍光灯器具における直管形蛍光灯と直管形ＬＥＤランプの比較図で、（ａ）は直管形蛍光灯の配光特性を示す図、（ｂ）は直管形ＬＥＤランプの配光特性を示す図、（ｃ）は直管形ＬＥＤランプの所望の配光特性を示す図である。
【図１２】２本上下配置タイプの蛍光灯器具における直管形蛍光灯と直管形ＬＥＤランプの比較図で、（ａ）は直管形蛍光灯の配光特性を示す図、（ｂ）は直管形ＬＥＤランプの配光特性を示す図である。
【発明を実施するための形態】
【００１０】
以下、本発明の一実施形態を図を参照して説明する。
本実施形態を説明する前に、従来の直管形ＬＥＤランプの構成及び照明装置を説明する。
図８は、照明装置２００の外観を示す分解斜視図である。照明装置２００は、直管形ＬＥＤランプ１００と、直管形ＬＥＤランプ１００を装着する照明器具（灯具）１５０とを備えている。
照明器具１５０は、蛍光灯を点灯させるための器具と同じものであり、ソケット１５１ａ、１５１ｂの穴位置に合わせて直管形ＬＥＤランプ１００の端子（４ａ〜４ｄ）を差し込む。
そうすると、商業用電流が端子４ａ〜４ｄから直管形ＬＥＤランプ１００内の後述するＬＥＤに流れ、直管形ＬＥＤランプ１００が点灯する。
【００１１】
図２に示すように、直管形ＬＥＤランプ１００は、主に、棒状の筐体２と、透光性のカバー３と、長手方向両端部に設けられた、照明器具１５０に電気的に接続可能な口金１ａ、１ｂとから構成されている。ここでは、カバー３は透明のものを用いている。
筐体２は、断面形状が直管形ＬＥＤランプ１００の長手方向全体に亘って略同一の半円筒状（筒形状）に形成されている。
内部で生じる熱の放熱機能を向上させるために、筐体２の外面には凹凸が付与され、表面積を大きくしている。
筐体２は、熱伝導率の大きい金属材料で形成されている。筒形状であるために、押出し成形や引き抜き成形等の加工方法により、断面形状が均一な筐体２を安価に製作できる。
【００１２】
金属材料としては、アルミニウム合金やマグネシウム合金が多く用いられるが、他の押出し材料等でも良い。
外周部の凹凸により、リブや放熱フィンを設けるのと同じような放熱機能を持たせることができる。
ここでは放熱性向上を目的として、筐体２の外周部に凹凸を設けるようにしているが、筐体２と後述する駆動基板（電源基板）や電気部品との絶縁性が確保できれば内周部に凹凸を設けても良い。
【００１３】
カバー３は、筐体２の外径とほぼ同じ外径（曲率）を有し、筐体２の長手方向に沿う開口部を有する半円形状に形成されている。
すなわち、カバー３は円弧状の断面形状を有し、筐体２の一側面を長手方向に亘って覆う大きさを有している。
口金１ａ、１ｂは、筐体２とカバー３との一体構成の両端部にその外面を覆うように設けられている。
口金１ａ、１ｂには、蛍光灯を点灯可能な照明器具１５０に搭載可能な端子４ａ〜４ｄが装備されている。
【００１４】
口金１ａ、１ｂの端子４ａ〜４ｄと、口金１ａ、１ｂに接続されたコネクタ１６から延びるリ−ド線６ａ、６ｂを介して筐体２に支持された電源基板に電流が供給される。
端子４ａ〜４ｄと、リ−ド線６ａ、６ｂとを直接はんだ付けなどの方法で電気的に接続しても問題はない。
口金１ａ、１ｂは、複数のねじ５ａ〜５ｄによって筐体２に固定されることで、筐体２とこれに嵌合されたカバー３とが一体になるように包み込んでいる。
【００１５】
口金１ａ、１ｂは、ねじ止めではなく、筐体２にカシメ等の手段により固定してもよい。口金１ａ、１ｂの形状は、蛍光灯の両端部に位置する口金と略同一の形状となっている。
したがって、蛍光灯が用いられている既存の照明器具に対して、直管形ＬＥＤランプ１００を蛍光灯に代えて取り付けることにより、照明器具の交換を要することなくＬＥＤランプの照明装置を構成することができる。
これにより、別途新たな照明器具を取り付ける場合に比べて、設備コストや工事コストを大幅に低減できるとともに、交換作業の労力の低減、時間短縮を実現できる。
【００１６】
カバー３に対向する筐体２の平坦部の外側には、実装基板としてのＬＥＤ基板１１が固定されている。上記電源基板は、筐体２の内部に配置されている。
ＬＥＤ基板１１は細長い長方形状のプリント基板であり、ＬＥＤ基板１１ａとＬＥＤ基板１１ｂとから構成されている。
ＬＥＤ基板１１ａ、１１ｂにはそれぞれ、ＥＬ効果を持つ半導体発光素子の一例としてのＬＥＤ１２ａ、１２ｂが筐体２の長手方向に所定の間隔で複数実装されている。
【００１７】
図１０（ａ）、（ｂ）に示すように、直管形蛍光灯１６０の場合、長手方向を軸とする軸心回りの全方向へ光を発するが、直管形ＬＥＤランプ１００では上記のように基板やフレーム等があるため、光を発する方向が円筒形断面の約半分に限定される。
図１１に示すように、断面が三角形で２本の直管形蛍光灯１６０を水平に配置して取り付ける構造の照明器具１６２では、直管形蛍光灯１６０の場合、（ａ）に示すような配光特性となる。
蛍光灯に対応した既存の照明器具である照明器具１６２に直管形ＬＥＤランプ１００を取り付けると、ソケットの端子挿入穴の位置は蛍光灯に対する位置のままであるので、（ｂ）に示すように照射方向は斜めになる。
ユーザーの所望として、（ｃ）に示すように照射方向を下向きにしたくても調整することはできない。
【００１８】
図１２に示すように、２本の直管形蛍光灯１６０を上下方向に配置して取り付ける構造の照明器具１６４では、直管形蛍光灯１６０の場合、（ａ）に示すような配光特性となる。ハーネスの這い回し等の関係から上下のソケットにおける端子挿入穴の向きが９０°異なる例である。
既存の照明器具１６４に直管形ＬＥＤランプ１００を取り付けると、（ｂ）に示すように、上方の直管形ＬＥＤランプ１００の照射方向は所望の下向きであっても、下側の直管形ＬＥＤランプ１００の照射方向は横向きとなる。
この場合、下側の直管形ＬＥＤランプ１００の照射方向を調整しようとしてもできない。このため、照射効率の悪い状態で使用せざるを得ないか、あるいはソケットの位置を変更する作業を要する。
【００１９】
図１乃至図７に基づいて本発明の実施形態を説明する。本実施形態における直管形ＬＥＤランプの内部構造は従来と同様であり、同一の構成は同一の符号にて示す。
図１、２に示すように、本実施形態に係る照明装置５０は、蛍光灯に対応した既存の照明器具１５０と、直管形ＬＥＤランプ５２とを備えている。
直管形ＬＥＤランプ５２は、従来の直管形ＬＥＤランプと同様の形状を有する直管形ＬＥＤランプ本体５３と、直管形ＬＥＤランプ本体５３の両端部に配置された直管形ＬＥＤランプ用アダプター５４ａ、５４ｂとを備えている。
直管形ＬＥＤランプ本体５３は図７、８で示した直管形ＬＥＤランプ１００と同様の構成を有しており、直管形ＬＥＤランプ用アダプターの存在分、長手方向の長さが異なるだけである。
【００２０】
直管形ＬＥＤランプ用アダプター５４ｂは、一端側にソケットに挿入される一対の第１の端子を有しているとともに、他端側に、直管形ＬＥＤランプの第２の端子を挿入する端子挿入部を有している。
直管形ＬＥＤランプ用アダプター５４ｂは、第１の端子と第２の端子との導通状態を保ったまま直管形ＬＥＤランプの長手方向を軸心とする回転を許容する。
具体的に説明すると、図３に示すように、直管形ＬＥＤランプ用アダプター５４ｂは、ソケット１５１ｂの端子挿入穴に挿入される第１の端子としての一対の端子５６ｃ、５６ｄを有する固定部５８と、固定部５８に一体に係合され、係合した状態で軸心回りに回転可能に設けられた端子挿入部６０とを有している。
【００２１】
固定部５８に対する端子挿入部６０の係合は、例えば、固定部５８の外周面に形成された環状凸部に端子挿入部６０の爪が弾性変形により係合して抜け止めとなる構成を採用することができる。
第１の端子としての一対の端子５６ｃ、５６ｄは、機能的には図７、８で示した従来の直管形ＬＥＤランプ１００の端子４ｃ、４ｄに代替するものである。
固定部５８のソケット側と反対側には半円状ないし円弧状の導電性部材６２ｃ、６２ｄが固定され、それぞれ対応する端子５６ｃ、５６ｄに電気的に接続されている。
【００２２】
端子挿入部６０には、直管形ＬＥＤランプ本体５３の口金１ｂから突出する第２の端子としての一対の端子４ｃ、４ｄを長手方向と直交する方向に案内して挿入するためのガイド溝６４を有している
端子挿入部６０の内部において、第２の端子４ｃ、４ｄがガイド溝６４を移動する領域には、第２の端子４ｃ、４ｄのうち最初に挿入される端子を弾性変形により通過させ、後に挿入される端子を弾性力で保持する第１の導電性ホルダ６６と、最初に挿入される端子を保持する第２の導電性ホルダ６８とが設けられている。
【００２３】
第１の導電性ホルダ６６は、平板部６６ａと、これに対向して配置された屈曲部６６ｂと、少なくとも屈曲部６６ｂに連設され、導電性部材６２ｄに弾性力で接触する接触子６６ｃとから構成されている。
第２の導電性ホルダ６８は、平板を凹状に折り曲げた形状の保持部６８ａと、保持部６８ａに連設され、導電性部材６２ｃに弾性力で接触する接触子６８ｂとから構成されている。
第１の導電性ホルダ６６と第２の導電性ホルダ６８は、端子挿入部６０内においてガイド溝６４による案内方向と直交する方向に弾性変形可能に支持され、第２の端子４ｃ、４ｄを弾性力で接触して保持可能となっている。
直管形ＬＥＤランプ本体５３の第２の端子４ｃ、４ｄを、端子４ｃを先にしてガイド溝６４に通して装着すると、図４に示すように、端子４ｃは第２の導電性ホルダ６８に電気的に接触した状態で保持され、端子４ｄは第１の導電性ホルダ６６に電気的に接触した状態で保持される。
【００２４】
端子４ｄが第１の導電性ホルダ６６の屈曲部６６ｂの凹部に嵌ることで、直管形ＬＥＤランプ本体５３の一端部である口金１ｂと端子挿入部６０とが一体的に結合され、第２の端子４ｃ、４ｄがガイド溝６４から抜け落ちることが阻止される。
換言すれば、第１の導電性ホルダ６６の弾性保持力は、第２の端子４ｃ、４ｄを挿入した後にガイド溝６４から抜け落ちないように設定されている。
口金１ｂと端子挿入部６０とが一体的に結合されたことにより、直管形ＬＥＤランプ本体５３を周方向に回転させると端子挿入部６０も同期回転する。
これにより直管形ＬＥＤランプ本体５３の照射位置を調整することができる。この場合、図５に示すように、第１の端子５６ｃ、５６ｄと第２の端子４ｃ、４ｄとは、導電性部材６２ｃ、６２ｄと第１の導電性ホルダ６６及び第２の導電性ホルダ６８を介して導通状態を維持される。
【００２５】
図６に示すように、直管形ＬＥＤランプ本体５３の回転に伴う第１の導電性ホルダ６６の接触子６６ｃと、第２の導電性ホルダ６８の接触子６８ｂの移動範囲は約１８０°である。
このため、直管形ＬＥＤランプ５２を取り付けた蛍光灯器具のソケットの端子挿入穴の位置がどんなにずれていても、直管形ＬＥＤランプ本体５３の照射位置を下向き等の所望の位置とすることができる。
図７（ａ）に示すように、直管形ＬＥＤランプ用アダプター５４ｂをソケットに装着した後、直管形ＬＥＤランプ本体５３の第２の端子４ｃ、４ｄを端子挿入部６０のガイド溝６４に挿入して装着する。
装着後、図７（ｂ）に示すように、直管形ＬＥＤランプ本体５３の周方向の位置を調整する。この場合、直管形ＬＥＤランプ用アダプター５４ｂの端子挿入部６０は同期回転する。
直管形ＬＥＤランプ本体５３の他方の端部においても同様の構成を有している。
【００２６】
端子挿入部６０のガイド溝６４の位置を、直管形ＬＥＤランプ本体５３側の端子を挿入しやすい位置に設定した後で直管形ＬＥＤランプ本体５３を装着するようにすればよい。
本実施形態では直管形ＬＥＤランプ用アダプター５４ｂをソケットに装着した後、直管形ＬＥＤランプ用アダプター５４ｂに直管形ＬＥＤランプ本体５３を装着する取付方法を例示したが、これに限定されない。
端子挿入部分が付勢力下で長手方向に変位可能なタイプのソケットの場合には、直管形ＬＥＤランプ本体５３の両端部に直管形ＬＥＤランプ用アダプター５４を装着した後、直管形ＬＥＤランプ用アダプター５４の端子をソケットに挿入するようにすればよい。
このタイプのソケットでは、直管形ＬＥＤランプ用アダプター５４にガイド溝６４を設けずに、直管形ＬＥＤランプ本体５３の端子を端子挿入部６０に軸方向から挿入して結合する構成とすることもできる。
この場合、端子挿入部６０の第１の導電性ホルダと第２の導電性ホルダの形状を簡易な同一形状にできるメリットがある。
【００２７】
以上、本発明の好ましい実施の形態について説明したが、本発明はかかる特定の実施形態に限定されるものではなく、上述の説明で特に限定しない限り、特許請求の範囲に記載された本発明の趣旨の範囲内において、種々の変形・変更が可能である。
本発明の実施の形態に記載された効果は、本発明から生じる最も好適な効果を例示したに過ぎず、本発明による効果は、本発明の実施の形態に記載されたものに限定されるものではない。
【符号の説明】
【００２８】
１ａ、１ｂ  口金
４ａ、４ｂ、４ｃ、４ｄ  第２の端子
５０  照明装置
５２  直管形ＬＥＤランプ
５４、５４ｂ  直管形ＬＥＤランプ用アダプター
５６ａ、５６ｂ、５６ｃ、５６ｄ  第１の端子
５８  固定部
６０  端子挿入部
６２ｃ、６２ｄ  導電性部材
６４  ガイド溝
６６  第１の導電性ホルダ
６８  第２の導電性ホルダ
１５０  照明器具
１５０ａ、１５０ｂ  ソケット
【先行技術文献】
【特許文献】
【００２９】
【特許文献１】特許第５４３８５４７号公報
【図１】
2016154103.tif 000003
【図２】
2016154103.tif 000004
【図３】
2016154103.tif 000005
【図４】
2016154103.tif 000006
【図５】
2016154103.tif 000007
【図６】
2016154103.tif 000008
【図７】
2016154103.tif 000009
【図８】
2016154103.tif 000010
【図９】
2016154103.tif 000011
【図１０】
2016154103.tif 000012
【図１１】
2016154103.tif 000013
【図１２】
2016154103.tif 000014